(57)【要約】【課題】熱の影響でＬＥＤが破壊しないようにした撮影装置を提供する。【解決手段】レンズ鏡筒１５の対物側の端部には、放熱効果が高い金属，例えばアルミニウムから形成されたリング状の化粧板１７がレンズ鏡筒１５の前部全体を覆うように取り付けられている。化粧板１７を基板として、ストロボ光源として使用される高輝度タイプの４個のＬＥＤ１８〜２１が取り付けられている。化粧板１７の前部には、ＬＥＤ１８〜２１を覆うように、透明樹脂製の光拡散カバー８が取り付けられている。ＬＥＤ１８〜２１には高圧電流が印加され、その際に自己発熱のため高温になるが、化粧板１７が放熱板の役割を果たすため、ＬＥＤ１８〜２１の温度を効率よく下げることができる。これにより、熱に弱いＬＥＤ１８〜２１が破壊することが防止される。【選択図】        図１
2006154523.tif 000002
【特許請求の範囲】
【請求項１】
ストロボ光源として使用される発光ダイオードを放熱効果を有する金属製の部材に取り付け、この部材を撮影レンズ鏡筒の対物側の端部に取り付けたことを特徴とする撮影装置。
【請求項２】
前記部材は、前記撮影レンズの化粧板であることを特徴とする請求項１記載の撮影装置。
【請求項３】
ストロボ光源として使用される発光ダイオードを放熱効果を有する金属製の部材に取り付け、この部材を装置本体の対物側の面に取り付けたことを特徴とする撮影装置。
【請求項４】
前記部材は、前記装置本体の化粧板であることを特徴とする請求項３記載の撮影装置。
【請求項５】
ストロボ光源として使用される発光ダイオードを放熱効果を有する装置本体の対物側の面または撮影レンズ鏡筒の対物側の端部に取り付けたことを特徴とする撮影装置。
【発明の詳細な説明】
【技術分野】
【０００１】
本発明は、ストロボ装置のストロボ光源として発光ダイオードを用いたデジタルカメラやカメラ付き携帯電話等の撮影装置に関するものである。
【背景技術】
【０００２】
撮影装置としては、フイルムカメラ（銀塩フイルムを用いる旧来のカメラ）やデジタルカメラやカメラ付き携帯電話等が周知である。これらの撮影装置の多くは、輝度が低い撮影条件下でも被写体を照明して綺麗に撮影できるようにストロボ装置を備えている。
【０００３】
従来のストロボ装置はストロボ光源としてキセノン（Ｘｅ）管を用いてきたが、最近では、ノイズが少なく小型化が容易、かつローコストであるところから、発光ダイオード（以下ＬＥＤという）を用いたものが提案されている（例えば特許文献１〜４）。
【０００４】
例えば、複数個のＬＥＤを備え、これらを所定の間隔で循環的に点灯したり、Ｒ，Ｇ，ＢＬＥＤの個々の点灯時間を加減して色温度調整を行う撮像装置が知られている（特許文献１）。また、ストロボ発光部として白色ＬＥＤを用いたカメラ付き携帯電話が知られている（特許文献２）。また、撮影レンズの周囲のボディ前面に複数個のＬＥＤを配設した薄型のデジタルカメラとカメラ付き携帯電話が知られている（特許文献３）。また、ストロボ光源としてＲ，Ｇ，ＢのＬＥＤを用い、被写界の色温度に応じてＲ，Ｇ，Ｂ各ＬＥＤの発光量の比を制御するストロボ装置が知られている（特許文献４）。
【特許文献１】特開２００１−２１５５７９号公報
【特許文献２】特開２００３−１５８６７５号公報
【特許文献３】特開２００３−１０１８３６号公報
【特許文献４】特開２００２−１１６４８１号公報
【発明の開示】
【発明が解決しようとする課題】
【０００５】
上記のようなＬＥＤは、従来のキセノン管に比べて発光量が少ないという欠点がある。ＬＥＤで撮影に十分な発光量を得るためには、ＬＥＤに高圧電流を流せばよいが、発熱量が大きくなるため、ＬＥＤが破壊する場合がある。
【０００６】
本発明は、熱の影響でＬＥＤが破壊しないようにした撮影装置を提供することを目的とする。
【課題を解決するための手段】
【０００７】
本発明の撮影装置は、ストロボ光源として使用されるＬＥＤを放熱効果を有する金属製の部材に取り付け、この部材を撮影レンズ鏡筒の対物側の端部に取り付けたことを特徴とする。また、前記部材は、前記撮影レンズの化粧板であることを特徴とする。また、ストロボ光源として使用されるＬＥＤを放熱効果を有する金属製の部材に取り付け、この部材を装置本体の対物側の面に取り付けたことを特徴とする。また、前記部材は、前記装置本体の化粧板であることを特徴とする。また、ストロボ光源として使用されるＬＥＤを放熱効果を有する装置本体の対物側の面または撮影レンズ鏡筒の対物側の端部に取り付けたことを特徴とする。
【発明の効果】
【０００８】
本発明の撮影装置によれば、ＬＥＤを放熱効果を有する金属製の部材に取り付けたので、撮影に十分な発光量を確保するだけの大電流をＬＥＤに流しても、ＬＥＤの熱を部材が放熱してＬＥＤを冷却するから、自己発熱によるＬＥＤの破壊が防止できる。また、ＬＥＤを実装した部材をレンズ鏡筒の対物側の端部に取り付けたので、レンズ鏡筒によるストロボ光のケラレがなく、ストロボ光を無駄なく有効に使用でき、またストロボ光の光軸と撮影光軸との角度差がほとんどないから、無影に近い撮影ができる。また、前記部材を撮影レンズの化粧板とすると、ＬＥＤの放熱板としての部材が外装部品としての化粧板と兼用されるから、部品費用を低減できる。また、ＬＥＤを放熱効果を有する撮影レンズ鏡筒の対物側の端部に直に取り付けてもよい。また、ＬＥＤを取り付けた部材を装置本体の対物側の面に取り付けたり、ＬＥＤを放熱効果を有する装置本体の対物側の面に直に取り付けてもよい。この場合、短焦点レンズなどで、レンズ鏡筒が装置本体の対物側の面から大きく突出しないタイプの撮影装置ではストロボ光のケラレがなく、ストロボ光を無駄なく有効に利用できる。
【発明を実施するための最良の形態】
【０００９】
本発明の第１実施形態であるデジタルカメラの外観を示す図１において、デジタルカメラ１０のカメラボディ１１の前部には、単焦点タイプの撮影レンズ１２とファインダ対物窓１３が設けられている。また、上部には、シャッタボタン１４が設けられている。
【００１０】
前記撮影レンズ１２のレンズ鏡筒１５は、電源がＯＦＦの時には、二点鎖線で示す沈胴位置にあるが、電源をＯＮにすると、実線で示すように突出して撮影準備状態になる。前期沈胴位置では、レンズバリア１６が閉じており、撮影準備位置ではレンズバリア１６が開き、撮影レンズ１２が露呈する。
【００１１】
前記レンズ鏡筒１５は、樹脂製であり、この対物側の端部には、リング状の化粧板１７がレンズ鏡筒１５の前部全体を覆うように取り付けられている。この化粧板１７は、放熱効果が高い金属，例えばアルミニウムから形成されており、これを基板として、ストロボ光源として使用される高輝度タイプの４個のＬＥＤ１８〜２１が取り付けられている。このＬＥＤ１８〜２１の発光色は、それぞれ赤色（Ｒ），緑色（Ｇ），青色（Ｂ），白色（Ｗ）である。
【００１２】
前記化粧板１７の前部には、ＬＥＤ１８〜２１を覆うように、細長いほぼ楕円形で中央部が丸く突出した透明樹脂製の光拡散カバー８が取り付けられている。なお、ＬＥＤ１８〜２１をカメラボディ１１内部の制御部と接続するための接続コードは、レンズ鏡筒１５の内部を通している。また、接続コードの端部には、コネクタを装着しておき、このコネクタを介して制御部と接続するのが好ましい。また、前記接続コードは、フレキシブル基板でもよい。
【００１３】
ＬＥＤ１８〜２１には、十分な発光量を得るために、高圧電流が印加され、その際に、ＬＥＤ１８〜２１は自己発熱のため高温になるが、前記化粧板１７が放熱板（ヒートシンク）の役割を果たすため、ＬＥＤ１８〜２１の温度を効率よく下げることができる。これにより、熱に弱いＬＥＤ１８〜２１が破壊することが防止される。また、撮影レンズ１２の化粧板１７をＬＥＤ１８〜２１の放熱板に兼用したから、ＬＥＤ１８〜２１の放熱板を別部品として設ける必要がないので、部品費用の低減に寄与できる。
【００１４】
また、ＬＥＤ１８〜２１がレンズ鏡筒１５の前部に設けられているから、レンズ鏡筒１５によるストロボ光のケラレがなく、ストロボ光を無駄なく有効に利用できるとともに、ストロボ光の光軸と撮影光軸との角度差がほとんどないことから、無影に近い撮影ができる。
【００１５】
カメラボディ１１の背面には、図２に示すように、ファインダ接眼部２２，望遠（Ｔ）側ズームキー２３，広角（Ｗ）側ズームキー２４，液晶ディスプレイ２５，表示／ＢＡＣＫボタン２６，十字キー２７及びメニュー／ＯＫボタン２８が設けられている。なお、ズームキー２３，２４は、画像データを電子的に拡大／縮小する電子ズーム用である。また、メニュー／ＯＫボタン２８は、十字キー２７の中央部に設けられている。
【００１６】
メニュー／ＯＫボタン２８を押圧してメインメニュー（図示せず）を表示してから十字キー２７の操作によりホワイトバランス調整（ＷＢ）を選択すると、図のように、複数個のアイコンと文字が表示される。デフォルトでは、自動（ＡＵＴＯ）に設定されているが、ユーザは十字キー２７とメニュー／ＯＫボタン２８を操作して、マニュアル（Ｍ），光源を模式的に表した光源アイコン２９〜３２を選択できる。
【００１７】
電球型の光源アイコン２９を選択すると、タングステンライトの影響による赤味を抑えるように、また、蛍光灯型の光源アイコン３０を選択すると、蛍光灯の影響による緑色を抑えるように、また、雲型の光源アイコン３１を選択すると、曇天下でのアンバー（茶褐色）を抑えるように、また、太陽型の光源アイコン３２を選択すると、晴天下での青味を抑えるように、それぞれ設定された光量比でＬＥＤ１８〜２０が自動発光する。
【００１８】
また、Ｍを選択すると、図３に示すように、サブメニューが表示される。Ｒ，Ｇ，Ｂ，Ｗの各文字の前には、ラジオボタンがそれぞれ配置されており、これをＯＮにすることにより、ＲＧＢＷのＬＥＤ１８〜２１を任意に発光させるように設定できる。この場合、ＯＮにするのは、ＬＥＤ１８〜２１のうち１個でもよいし、また複数個でもよい。すなわち、このＭでは、発光するＬＥＤを自由に選ぶことができ、ユーザ独自の雰囲気を演出することができる。
【００１９】
また、前記Ｒ，Ｇ，Ｂ，Ｗとは別に、ＭＡモードが用意されており、これを選択すると、通常の判断ではストロボ照明が不要とされる明るさのシーンでも、適正露出よりも例えば１ＥＶ分アンダーになるように、絞りとシャッタ速度が設定され、このアンダー分の露光量を補い、かつ色温度が補正されるように、ＬＥＤ１８〜２１の発光量及びその比が自動設定される。
【００２０】
デジタルカメラ１０の電気的構成を示す図４において、撮影レンズ１２及び絞り３４を介して固体撮像素子（ＣＣＤ）３６の受光面に結像された被写体像は、各センサで光の入射光量に応じた量の信号電荷に変換される。この信号電荷は、ＣＣＤ駆動回路３８から加えられるリードゲートパルスによってシフトレジスタに読み出され、レジスタ転送パルスによって信号電荷に応じた電圧信号として順次読み出される。なお、このＣＣＤ３６は、蓄積した信号電荷をシャッタゲートパルスによって掃き出すことができ、これにより電荷の蓄積時間（シャッタスピード）を制御する、いわゆる電子シャッタ機能を有している。
【００２１】
ＣＣＤ３６から順次読み出された電圧信号は、アナログ処理部４０に送られる。アナログ処理部４０は、サンプリングホールド回路、色分離回路、ゲイン調整回路等の信号処理回路を含み、このアナログ処理部４０において、相関二重サンプリング（ＣＤＳ）処理並びにＲ，Ｇ，Ｂの各色信号に色分離処理され、各色信号の信号レベルの調整（ホワイトバランス処理）が行われる。
【００２２】
アナログ処理部４０から出力された信号は、Ａ／Ｄ変換器４２によりデジタル信号に変換された後、バッファメモリ４６に格納される。タイミングジェネレータ（ＴＧ）４４は、サブＣＰＵ６８の指令に従ってＣＣＤ駆動部３８、アナログ処理部４０及びＡ／Ｄ変換器４２に対してタイミング信号を与えており、このタイミング信号によって各回路の同期がとられている。
【００２３】
バッファメモリ４６に格納されたデータは、バス４８を介してＹＣ信号処理部５０に送られる。ＹＣ信号処理部５０に入力された画像データは、輝度信号（Ｙ信号）及び色差信号（Ｃr,Ｃb 信号）に変換されるとともに、ガンマ補正等の所定の処理が施された後、バッファメモリ４６に格納される。このメモリ４６内のＹＣ信号を読み出し、ＹＣ信号をＲＧＢ信号に変換する表示回路５２及びドライバ５４を介して液晶モニタ２５に出力することによりスルー画像や撮影された静止画等を液晶モニタ２５に表示させる。
【００２４】
また、撮影後のＹＣ信号は、圧縮／伸長回路５８によって所定のフォーマットに圧縮されたのち、インターフェイス回路（Ｉ／Ｆ）６０を介してメモリカード６２に記録される。更に、再生モード時にはメモリカード６２に記録されている画像データが圧縮／伸長回路５８によって伸長処理された後、液晶モニタ２５に出力され、液晶モニタ２５に再生画像が表示される。
【００２５】
メインＣＰＵ６４は、ＥＥＰＲＯＭ６５に記憶されている各種のプログラムシーケンスに従い、前記シャッタボタン１４の他、ズームキー２３，２４，十字キー２７等の操作部６６からの入力に基づいて各回路を統括制御するとともに、サブＣＰＵ６８とＣＰＵ間通信を行う。サブＣＰＵ６８は、オートフォーカス（ＡＦ）、自動露光（ＡＥ）等の制御を行うとともに、必要に応じてＬＥＤ制御部７０にストロボ発光のコマンドを送る。
【００２６】
前記オートフォーカス（ＡＦ）制御は、Ｇ信号の高周波成分が最大になるように撮影レンズ１２を移動させるコントラストＡＦであり、シャッタボタン１４の半押し時にＧ信号の高周波成分が最大になるようにフォーカス駆動部７２を介して撮影レンズ１２を合焦位置に移動させる。
【００２７】
また、自動露光（ＡＥ）制御は、バス４８を介してバッファメモリ４６からＲ，Ｇ，Ｂ信号を取り込み、これらの信号を積算した積算値に基づいて被写体輝度（撮影ＥＶ値）を求め、この撮影ＥＶ値に基づいて撮影時の絞り値とシャッタスピードを決定する。そして、シャッタボタン１４の全押し時に前記決定した絞り値になるように絞り駆動部７４を介して絞り３４を駆動し、また、決定したシャッタスピードとなるようにＣＣＤ３６の電子シャッタによって電荷の蓄積時間を制御して１コマ分の画像データを取り込み、所要の信号処理をした後、メモリカード６２に記録する。
【００２８】
前記ＬＥＤ制御部７０は、電源電池の電圧を昇圧し、この昇圧させた高圧電流を必要に応じてＬＥＤ１８〜２１に供給する。デフォルトのオートホワイトバランス（ＡＷＢ）ストロボモードでは、ＬＥＤ１８〜２１のうちいずれのＬＥＤを発光させるかは、撮影環境下の色温度の測定結果によって変わる。外光の光量が非常に少ない（暗い）場合や外光のホワイトバランスが良好の場合には、Ｗ−ＬＥＤ２１を発光させる。
【００２９】
また、室内撮影でタングステンライトの影響が強い（画像が赤っぽくなる）場合や蛍光灯の影響が強い（画像が緑っぽくなる）場合には、各色調の補色になるように発光量比を変化させて、Ｒ−ＬＥＤ１８，Ｇ−ＬＥＤ１９，Ｂ−ＬＥＤ２０を発光させる。これにより、アナログ処理部４０のホワイトバランス処理におけるＲ，Ｇ，Ｂ信号の大幅なゲイン調整が不要となるから、画像のノイズを低減できる。
【００３０】
次に、上記実施形態の作用について図５〜図７に示すフローチャートに従って説明する。シャッタボタン１４を半押しすると（ｓｔ１）、ＡＥシーケンス（ｓｔ２），ＬＥＤ１８〜２１の発光制御の設定を行うことにより外光のホワイトバランス調整の設定を行うＷＢストロボ設定シーケンス（ｓｔ３），ＡＦシーケンス（ｓｔ４）が順次に実行される。
【００３１】
前記ＡＥシーケンスでは、図６に示すように、サブＣＰＵ６８がバッファメモリ４６から１画面分のＧ信号を取得し（ｓｔ９）、画像の明るさを評価する（ｓｔ１０）。サブＣＰＵ６８は、画像の明るさ（被写体輝度）に基づいて、ストロボ照明が必要か否かを判断し（ｓｔ１１）、必要な場合にはストロボ発光フラグをＯＮにし（ｓｔ１２）、不要な場合にはストロボ発光フラグをＯＦＦにする（ｓｔ１３）。また、被写体輝度に基づいて、絞りとシャッタ速度の設定を行う（ｓｔ１４）。なお、図６に示すフローチャートは、前記ＭＡモードを設定する場合を考慮していない。
【００３２】
前記ＷＢストロボ設定シーケンスでは、デフォルトでは、図７に示すようなオートのＷＢストロボ設定シーケンスが実行される。サブＣＰＵ６８がバッファメモリ４６から１画面分のＲ，Ｇ，Ｂ信号を読み込み、このＧ信号から所定の閾値よりも輝度が高い高輝度部を取得する（ｓｔ１５）。ここで、サブＣＰＵ６８が高輝度部を取得できない場合（例えば遠くの山並みのようなほとんどコントラストがない風景等のシーン）には、メインＣＰＵ６４は外光のホワイトバランス調整を行うためのストロボ発光は不要と判断し、高輝度部を取得した場合（例えば街灯を含む夜景等のシーン）には、ストロボ発光が必要と判断する（ｓｔ１６）。
【００３３】
メインＣＰＵ６４は、ストロボ発光が必要と判断した場合には、高輝度部のＲ／Ｇ／Ｂ分布の評価を行い、高輝度部の色の偏りの程度を調べる（ｓｔ１７）。すなわち、アナログ処理部４０のホワイトバランス処理で大幅なゲイン変更を伴うことなく、ホワイトバランス調整ができる程度に高輝度部の色の偏りが少ない場合には、ＬＥＤ１８〜２０の発光による被写界の色補正は不要であるから（ｓｔ１８）、Ｗ−ＬＥＤ２１のみを発光するように設定する（ｓｔ２０）。
【００３４】
また、アナログ処理部４０のホワイトバランス処理で大幅なゲイン変更を伴う程度に高輝度部の色の偏りが大きい場合には、ＬＥＤ１８〜２０の発光による被写界の色補正が必要であると判断し（ｓｔ１８）、高輝度部の色の補色となるように、ＬＥＤ１８〜２０に供給する各電圧に高低差をつけてＬＥＤ１８〜２０の各発光量比を設定する（ｓｔ２１）。この場合に、光量不足になると判断した場合には（ｓｔ２２）、更にＷ−ＬＥＤ２１も合わせて発光させるように設定する（ｓｔ２３）。
【００３５】
この後、シャッタボタン１４を全押しすると（ｓｔ６）、ＣＣＤ３６の電子シャッタが駆動される撮影シーケンス（ｓｔ７）が実行されるが、電子シャッタの駆動と同時に、画像の明るさ不足を補う場合や被写界の色補正を行う場合、又はこれら両方の場合に、サブＣＰＵ６８からＬＥＤ制御部７０にコマンドが送られ、ＬＥＤ１８〜２１のうち発光の設定されたＬＥＤに高圧電流が印加され、発光される。この時、ストロボ光を発光したＬＥＤは高温に発熱するが、化粧板１７の放熱効果により速やかに冷却されるから、ＬＥＤが破壊するおそれはない。
【００３６】
前記ＣＣＤ３６の電子シャッタが駆動された後、前述した所定の信号処理を経て、画像データがメモリカード６２に書き込まれるメディア記録シーケンス（ｓｔ８）が実行される。上述したように、被写界に色の偏りが大きい場合には、ＬＥＤ１８〜２０が所定の比率で発光され、ストロボ光による色補正が行われるが、更にアナログ処理部４０において画像信号に対するホワイトバランス処理が行われるから、非常に良好なホワイトバランス調整が行われる。しかも、アナログ処理部４０のホワイトバランス処理において大幅なゲイン変更はされないので、画像のノイズが増加することがない。なお、シャッタボタン１４を全押しする前にシャッタボタン１４の押圧操作を止めると、ステップ１〜４はキャンセルされ、シャッタボタン１４を半押し操作（ｓｔ１）によって新たにステップ２〜４が実行される。
【００３７】
次に、ユーザがＬＥＤ１８〜２１から発光するＬＥＤをマニュアルで選択する場合について、図８に示すフローチャートに従って説明する。まず、撮影を開始する前に、図３に示すように、ユーザはマニュアルで発光させるＬＥＤとして、例えばＲ−ＬＥＤ１８を選択しておく。このようにユーザが発光するＬＥＤをマニュアル設定した場合でも、例えば遠くに見える山並みのようなストロボ発光による色補正が無効と判断されるシーンでは、ストロボ発光の設定はされない（ｓｔ１６）。
【００３８】
ストロボ発光による色補正が有効なシーンであり、図３に示すサブメニューでユーザが発光を希望するＬＥＤを選択している場合には（ｓｔ２５）、ユーザの選択したＲ−ＬＥＤ１８が発光されるように設定される（ｓｔ２６）。この場合には、アナログ処理部４０でのホワイトバランス処理が行われないようにＷＢ設定フラグがＯＦＦにされる（ｓｔ２７）。また、ユーザが発光するＬＥＤを選択していない場合には（ｓｔ２５）、高輝度部の色の偏りによって画像の色が影響されないように、すなわち、高輝度部の色の補色になるように、ＬＥＤ１８〜２０に供給する各電圧に高低差をつけてＬＥＤ１８〜２０の各発光量比を設定する（ｓｔ２８）。
【００３９】
次に、図２に示すホワイトバランス調整（ＷＢ）のメニューから、ユーザが光源アイコン２９〜３２によって光源の種類を選択した場合について、図９に示すフローチャートを参照して説明する。高輝度部での色の偏りが大きく色補正の必要があり（ｓｔ１８）、ユーザが光源アイコン２９〜３２のうちいずれか１個を選択している場合には（ｓｔ３０）、ユーザが選択した光源アイコン２９〜３２に対応する光源に応じてＬＥＤ１８〜２０の発光を設定する（ｓｔ３１）。
【００４０】
例えば、光源アイコン２９が選択されている場合、タングステンライトの影響が大きいシーンであるから、色補正を行わない状態では、画像が赤味を帯びる。このため、Ｒ−ＬＥＤ１８は発光させずに、Ｇ−ＬＥＤ１９とＢ−ＬＥＤ２０を発光させる設定を行う。このＧ−ＬＥＤ１９とＢ−ＬＥＤ２０との実際の発光量比率については、一般的なタングステンライトに対する補正データに基づいて決められている。なお、Ｇ−ＬＥＤ１９とＢ−ＬＥＤ２０との発光量比率は、実際に多くのシーンを撮影した実写データを基に決めるようにしてもよい。
【００４１】
次に、ユーザがＭＡモードを選択して撮影を行う場合について、図１０及び図１１に示すフローチャートを参照して説明する。ユーザがＭＡモードを選択してからシャッタボタン１４を押し下げる。ＣＣＤ３６が取得した画像データ（ｓｔ９）について画像の明るさが評価され（ｓｔ１０）、ストロボ照明が必要である場合には（ｓｔ１１）、ストロボ発光フラグをＯＮにし（ｓｔ１２）、ストロボ照明が不要な場合には、ストロボ発光フラグをＯＦＦにする（ｓｔ１３）。そして、いずれの場合にも、通常の自動露出における絞りとシャッタ速度の設定を行い（ｓｔ３３）、この時の設定をＡＥ１とする。
【００４２】
続いて、メインＣＰＵ６４は、ＭＡモードに設定されているか否かをチェックする（ｓｔ３４）。ＭＡモードに設定されている場合には、前記ＡＥ１よりも１ＥＶだけアンダーになるように、絞りとシャッタ速度の設定を行う（ｓｔ３５）とともに、ストロボ発光フラグをＯＦＦからＯＮに変更する（ｓｔ３６）。また、ＭＡモードに設定されていない場合には、絞りとシャッタ速度の設定をＡＥ１のままとする。
【００４３】
高輝度部での色の偏りが大きく色補正の必要があり（ｓｔ１８）、ユーザがＭＡモードを選択している場合には（ｓｔ３７）、ＭＡモードに応じたＬＥＤ発光の設定を行う（ｓｔ３８）。すなわち、前記ＡＥ１よりも１ＥＶ分アンダーに設定されている露出不足分を補い、かつ色補正が適正にされるように、ＬＥＤ１８〜２１の発光量の比が設定される。なお、色補正が不要なら、Ｗ−ＬＥＤ２１が発光されるように設定される（ｓｔ２４）。また、色補正が必要だが、ＭＡモードが選択されていない場合には、高輝度部の色の補色になるように、ＬＥＤ１８〜２０に供給する各電圧に高低差をつけてＬＥＤ１８〜２０の各発光量比を設定する（ｓｔ２８）。
【００４４】
次に、本発明の第２実施形態のレンズ鏡筒部分を示す図１２において、移動筒，固定筒であるレンズ鏡筒７８，７９は例えば樹脂製であり、レンズ鏡筒７８の前面の上方部に、細長いプレート状の化粧板８０を設けている。この化粧板８０は、放熱効果を有する金属、例えば銅から形成してある。なお、本実施形態のデジタルカメラそのものは、上記第１実施形態と同じであるから、第１実施形態と異なるレンズ鏡筒部分のみを図示している。
【００４５】
また、前記第１実施形態では、化粧板１７の前部に取り付けたＬＥＤ１８〜２１とＬＥＤ制御部７０とは、レンズ鏡筒１５の内部を通した接続コードによって接続したが、本実施形態では、レンズ鏡筒８２，８３の外周面に銅箔等の導通パターン８５，８６を形成し、これによって接続している。また、導通パターン８５，８６を形成したレンズ鏡筒８２，８３の表面には、保護用の塗装が施してある。また、本実施形態では、ＬＥＤ１８〜２１の発光量を低下させないために光拡散カバーを設けていない。なお、図面上は化粧板８０と導通パターン８５，８６とが接触しているように見えるが、これらは互いに絶縁してある。
【００４６】
次に、本発明の第３実施形態を示す図１３において、デジタルカメラ９０は、撮影レンズ８８が固定焦点の広角レンズでレンズ鏡筒８９が突出しないタイプであり、ＬＥＤユニット９１をカメラボディ９２の前面の撮影レンズ８８近傍に取り付けている。ＬＥＤユニット９１は、ＬＥＤ１８〜２１をアルミニウムから形成したプレート状の化粧板９３に取り付けるとともに、ＬＥＤ１８〜２１を覆うように、光拡散性を有する透明樹脂製の光拡散カバー９４を化粧板９３に一体的に取り付けてある。すなわち、ＬＥＤ１８〜２１，化粧板９３及び光拡散カバー９４を１個のユニット部品としているから、ＬＥＤのデジタルカメラへの実装が簡単にできる。
【００４７】
次に、本発明の第３実施形態を示す図１４において、デジタルカメラ９６は、カメラボディ９７を放熱効果が高い、例えばアルミ合金で形成し、カメラボディ９７の前面にＬＥＤ１８〜２１を直に取り付けてある。なお、本実施形態では、発光量を十分に確保するため光拡散カバーを設けていない。また、前記デジタルカメラ９０，９６では、レンズ鏡筒によるストロボ光のケラレがないから、ストロボ光を無駄なく有効に利用できる。
【００４８】
以上説明した実施形態では、ＬＥＤの前部を光拡散カバーで覆う例と、ＬＥＤをそのまま外部に露呈した例とを挙げたが、例えばＬＥＤの前方に光集光用又は光拡散用の１枚もしくは複数枚のレンズを設けてもよい。また、前記光拡散カバーは、透明樹脂製としたが、光拡散性を有するものであれば、例えば半透明の樹脂から形成してもよい。また、前記光拡散カバーは、図１，図１３に示す形状に限定されず、例えば平板状の光拡散板とし、化粧板との間にスペーサを挟むようにしてもよい。
【００４９】
また、上記実施形態では、Ｒ，Ｇ，Ｂ，ＷのＬＥＤをそれぞれ１個ずつを用いたが、複数個、例えば２個ずつ用いてもよい。また、上記実施形態では、供給する各電圧に高低差をつけてＲ，Ｇ，Ｂ−ＬＥＤの各発光量比を設定したが、例えば発光時間の長短でＲ，Ｇ，Ｂ−ＬＥＤの各発光量比を設定してもよい。また、上記実施形態では、撮影レンズとして光学式の固定焦点レンズを用い、電子ズームとしたが、光学式のズームレンズを用いてもよい。また、上記ＬＥＤは、ストロボ光源のみに使用したが、ＡＦ（オートフォーカス）の補助光の光源としても兼用できる。
【００５０】
また、上記実施形態では、化粧板を介してレンズ鏡筒にＬＥＤを設けたが、レンズ鏡筒を放熱効果が高い金属、例えばアルミニウムで形成した場合、ＬＥＤを直にレンズ鏡筒の前部に取り付けるようにしてもよい。また、放熱効果が高い金属として、アルミニウム，アルミ合金，銅を挙げたが、本発明はこれに限定されることなく、放熱効果があれば、その他の金属でもよい。また、上記実施形態は撮影装置としてデジタルカメラを挙げたが、本発明はこれに限定されることなく、例えばカメラ付き携帯電話やカメラ付きＰＤＡ（Personal Digital Assistant）等でもよい。
【図面の簡単な説明】
【００５１】
【図１】本発明の第１実施形態の外観を示す斜視図である。
【図２】デジタルカメラの背面を示す平面図である。
【図３】マニュアルのホワイトバランス調整画面を表示した液晶画面を示す説明図である。
【図４】デジタルカメラの電気的構成を示すブロック図である。
【図５】撮影シーケンスの概略を示すフローチャートである。
【図６】ＡＥシーケンスの概略を示すフローチャートである。
【図７】自動でＬＥＤの発光を制御することによりホワイトバランス調整を行うように設定するＷＢストロボ設定シーケンスを示すフローチャートである。
【図８】発光するＬＥＤの色をマニュアルで選択する場合のＷＢストロボ設定シーケンスを示すフローチャートである。
【図９】光源をマニュアル選択する場合のＷＢストロボ設定シーケンスを示すフローチャートである。
【図１０】ＭＡモードを含むＡＥシーケンスの概略を示すフローチャートである。
【図１１】ＭＡモードを選択する場合のＷＢストロボ設定シーケンスを示すフローチャートである。
【図１２】本発明の第２実施形態のレンズ鏡筒部分を示す説明図である。
【図１３】本発明の第３実施形態の外観を示す斜視図である。
【図１４】本発明の第４実施形態の外観を示す斜視図である。
【符号の説明】
【００５２】
８，９４  光拡散カバー
１０，９０，９６  デジタルカメラ
１１，９２，９７  カメラボディ
１２，８８  撮影レンズ
１５，７８，７９，８９  レンズ鏡筒
１７，８０，９３  化粧板
１８〜２１  ＬＥＤ
２９〜３２  光源アイコン
３６  ＣＣＤ
６４  メインＣＰＵ
６８  サブＣＰＵ
７０  ＬＥＤ制御部
９１  ＬＥＤユニット
【図１】
2006154523.tif 000003
【図２】
2006154523.tif 000004
【図３】
2006154523.tif 000005
【図４】
2006154523.tif 000006
【図５】
2006154523.tif 000007
【図６】
2006154523.tif 000008
【図７】
2006154523.tif 000009
【図８】
2006154523.tif 000010
【図９】
2006154523.tif 000011
【図１０】
2006154523.tif 000012
【図１１】
2006154523.tif 000013
【図１２】
2006154523.tif 000014
【図１３】
2006154523.tif 000015
【図１４】
2006154523.tif 000016